(57)【要約】【課題】カードプリンタで序列番号を印刷しても，カードの意匠性を失うことがない画像付きカードの発行方法を提供する。【解決手段】本発明にかかる画像付きカードの発行方法は，カードプリンタ２を用いて未発行カード１ａに画像を印刷する際，エンボス加工で定義されている文字線の太さと高さに合わせて文字サイズが決定した序列番号１２を未発行カード１ａのエンボス領域１０５内に印刷する画像印刷工程（Ｓ１）と，エンボス加工とティッピング加工を行えるカード発行機３を用いて，画像印刷工程（Ｓ１）で画像を印刷したカードのエンボス領域１０５内に文字列をエンボス加工した後，エンボスした文字列をティッピング加工するエンボス工程（Ｓ１）を含む。【選択図】図１
2014205322.tif 000002
【特許請求の範囲】
【請求項１】
エンボス領域が設定された画像付きカードを発行する方法であって，
カードプリンタを用いて未発行カードに画像を印刷する際，エンボス加工で定義されている文字線の太さと高さに合わせて文字サイズが決定され，前記画像付きカード毎にユニークな序列番号を未発行カードの前記エンボス領域内に印刷する画像印刷工程と，
エンボス加工とティッピング加工を行えるカード発行機を用いて，前記画像印刷工程で画像を印刷したカードの前記エンボス領域内に前記画像付きカード毎にユニークな文字列をエンボス加工した後，エンボスした前記文字列をティッピング加工するエンボス工程と，を含むことを特徴とする画像付きカードの発行方法。
【請求項２】
前記画像印刷工程において，前記文字列において品目内で固定の固定文字列がエンボス加工される位置に前記序列番号を配置し，更に，前記固定文字列の字形に合わせて前記序列番号の各桁を配置したことを特徴とする，請求項１に記載した画像付きカードの発行方法。
【請求項３】
前記画像付きカードはクレジットカード機能付きＩＤカードであって，クレジットカード機能付きＩＤカードにエンボス加工するクレジットカード番号の先頭の４桁を前記固定文字列としたことを特徴とする，請求項２に記載した画像付きカードの発行方法。
【発明の詳細な説明】
【技術分野】
【０００１】
本発明は，カード毎に異なる画像を印刷する画像付きカードを発行する技術に関する。
【背景技術】
【０００２】
カード毎に異なる画像（例えば，顔写真）を印刷する画像付きカードの画像印刷には，カード両面に印刷が可能なプリント機能と，磁気ストライプに磁気データをエンコードする磁気エンコード機能を少なくとも有するカードプリンタが用いられる。
【０００３】
画像付きカードの発行が，画像印刷と磁気エンコードのみであれば，上述のカードプリンタのみで画像付きカードを発行可能であるが，文字を刻印するエンボス加工が画像付きカードの発行に必要とされる場合，カードプリンタで画像印刷等を実施した後，エンボス加工機能を有するカード発行機で，画像印刷後のカードにエンボス加工を施すことになる。
【０００４】
例えば，特許文献１で開示されているＩＣカードのように，画像付きカードがクレジットカード機能付きのＩＤカードの場合，クレジットカード番号等をエンボスするエンボス機能に加え，クレジットデータを磁気ストライプにエンコードする磁気エンコード機能，エンボスした文字を金や銀で着色するティッピング機能，および，カード裏面のサインパネルにインデントを印字するインデントプリント機能などの機能を有するクレジットカード発行の専用機が必要なため，カードプリンタでＩＤカードにかかる画像印刷と磁気エンコードを行った後，クレジットカード発行の専用機で画像印刷後のカードにエンボス加工やティッピング加工等の発行を行うことになる。
【０００５】
このように，カードプリンタで画像印刷したカードをカード発行機でエンボス加工を行う場合，カードプリンタで画像印刷したカードをカード発行機に移し替える作業が必要になるが，カードを移し替える際に序列が乱れると，カード発行機でトラブルが発生するため，何らかの原因でカードの序列が乱れてしまった場合，作業者は，カードの序列を元に戻す作業を行うことになる。
【０００６】
例えば，上述のクレジットカード機能付きのＩＤカードの場合，カード発行機は，カードの誤発行を防止するため，カードプリンタがＩＤカード用の磁気ストライプにエンコードした磁気データ（例えば，ＩＤ番号）を確認するが，カード発行機にカードを移し替える際に序列が乱れると，カード発行機で磁気データの読み取りエラーが発生し，カード発行機が停止してしまう。
【０００７】
現状の画像付きカードのデザインには，カードの序列を作業者が判断する目視情報は無く，カードの序列を元に戻す作業を行う際，作業者はＩＤカード用の磁気ストライプから磁気データを読み取るしかなく，非常に非効率であった。この対策案として，特許文献２のように，カードの序列を示す序列番号をカードプリンタで印字することも考えられるが，実際に画像付きカードを手にするエンドユーザにとって序列番号は意味の無い数字で，何ら工夫もなく序列番号を印字するとカードの意匠性が損なわれてしまう。
【先行技術文献】
【特許文献】
【０００８】
【特許文献１】特開２００３−９９７３７号公報
【特許文献２】特開平９−７３５１９号公報
【発明の概要】
【発明が解決しようとする課題】
【０００９】
そこで，本発明は，画像付きカードの発行において，カードプリンタで画像印刷を行った後，カード発行機でエンボス加工を行う際，カードプリンタで序列番号を印刷しても，カードの意匠性を失うことがない画像付きカードの発行方法を提供することを目的とする。
【課題を解決するための手段】
【００１０】
上述した課題を解決する第１の発明は，エンボス領域が設定された画像付きカードを発行する方法であって，カードプリンタを用いて未発行カードに画像を印刷する際，エンボス加工で定義されている文字線の太さと高さに合わせて文字サイズが決定され，前記画像付きカード毎にユニークな序列番号を未発行カードの前記エンボス領域内に印刷する画像印刷工程と，エンボス加工とティッピング加工を行えるカード発行機を用いて，前記画像印刷工程で画像を印刷したカードの前記エンボス領域内に前記画像付きカード毎にユニークな文字列をエンボス加工した後，エンボスした前記文字列をティッピング加工するエンボス工程を含むことを特徴とする。
【００１１】
更に，第２の発明は，第１の発明に記載した画像付きカードの発行方法であって，前記画像印刷工程において，前記文字列において品目内で固定の固定文字列がエンボス加工される位置に前記序列番号を配置し，更に，前記固定文字列の字形に合わせて前記序列番号の各桁を配置したことを特徴とする。
【００１２】
更に，第３の発明は，第２の発明に記載した画像付きカードの発行方法であって，前記画像付きカードはクレジットカード機能付きＩＤカードであって，クレジットカード機能付きＩＤカードにエンボス加工するクレジットカード番号の先頭の４桁を前記固定の文字としたことを特徴とする。
【発明の効果】
【００１３】
上述した本発明によれば，未発行カードのエンボス領域内に序列番号を印刷しても，カード発行機が行うエンボス加工によって，序列番号を印字した箇所が伸びることで序列番号の文字が薄れ，かつ，ティッピング加工時の着色によって序列番号が覆われるため，エンボス工程後のカードの外観から序列番号を認識しづらくなり，カードの意匠性を失うことはない。
【図面の簡単な説明】
【００１４】
【図１】本実施形態にかかる画像付きカードの発行方法を説明する図。
【図２】本実施形態の画像付きカードを説明する図。
【図３】序列番号をプリントする内容を説明する図。
【図４】カードプリンタで発行したカードを説明する図。
【図５】エンボス工程後の画像付きカードを説明する図。
【発明を実施するための形態】
【００１５】
ここから，本発明の好適な実施形態を記載する。なお，以下の記載は本発明の範囲を束縛するものでなく，理解を助けるために記述するものである。
【００１６】
図１は，本実施形態にかかる画像付きカードの発行方法を説明する図で，図２は，本実施形態の画像付きカード１を説明する図である。
【００１７】
図１に図示したように，本実施形態にかかる画像付きカードの発行方法で用いる装置は，カード両面に印刷が可能な画像プリント機能，および，磁気データを磁気ストライプにエンコードする磁気エンコード機能を有するカードプリンタ２と，クレジットデータを磁気ストライプにエンコードする磁気エンコード機能，カードの表面に凸状にアルファベットや数字を刻印するエンボス機能，エンボスした文字を金や銀で着色するティッピング機能，および，カード裏面のサインパネルにインデントを印字するインデントプリント機能を有するカード発行機３である。
【００１８】
図２に図示した本実施形態の画像付きカード１はクレジットカード機能付きＩＤカードで，その仕様は特許文献１のＩＣカードを参照している。本実施形態の画像付きカード１は，ＩＤカードとして使用できるように，ＩＤカード用の磁気ストライプ１１０がカード表面に隠蔽されている。また，画像付きカード１のカード裏面には，ＩＤカードとして使用できるように，ＩＤカードを示す文字列１１５と，ＩＤ番号１１３，組織のコード１１４（例えば，会社コード），ひらがな漢字表記の氏名１１２，組織情報１１６（組織名，住所，電話番号）および顔写真１１１がプリントされている。
【００１９】
更に，本実施形態の画像付きカード１の表面には，クレジットカードとして使用できるように，国内クレジット用の磁気ストライプ１００が隠蔽され，クレジットカード用のＩＣチップ１０２と偽造防止のためのホログラム１０３が設けられている。また，画像付きカード１の表面には，２つのエンボス領域１０５（１０５ａ，１０５ｂ）が設けられ，画像付きカード1毎でユニークな文字列として，エンボス領域１０５ａには，クレジットカード番号１０６がエンボスされ，エンボス領域１０５ｂには，ローマ字の氏名１０７ａとクレジットカードの有効期限１０７ｂがエンボスされている。また，画像付きカード１の裏面には，クレジットカードとして使用できるように，国際クレジット用の磁気ストライプ１０１と，インデント１０８がプリントされたサインパネル１０４が設けられている。なお，画像付きカード１の挿入方向を示す矢印１０９ｂとクレジットカード会社名１０９ａはカード製造時に印刷される絵柄である。
【００２０】
図１に図示しているように，図２で図示した画像付きカード１を発行する際，まず，未発行カード１ａをカードプリンタ２に投入し，カードプリンタ２は，ＩＤカード用の発行を行うと共に，未発行カード１ａにおけるエンボス領域１０５内に序列番号１２を印刷する画像印刷工程（Ｓ１）を実施する。
【００２１】
カードプリンタ２と接続するコンピュータ２ａには，カードプリンタ２で発行するカード毎に画像印刷工程（Ｓ１）の発行データが記憶され，この画像印刷工程（Ｓ１）の発行データには，ＩＤカード用の発行データと序列番号１２用の発行データが含まれる。
【００２２】
ＩＤカード用の発行データには，カード表面に隠蔽されたＩＤカード用の磁気ストライプ１１０にエンコードする磁気データ（ＩＤ番号等）に加え，カード裏面にプリントするＩＤカードを示す文字列１１５，ＩＤ番号１１３，組織のコード１１４（会社コード），氏名１１２，組織情報１１６および顔写真１１１を印刷する印刷データが含まれる。カードプリンタ２は，ＩＤカード用の発行を行う際，ＩＤカード用の発行データに含まれる磁気データをＩＤカード用の磁気ストライプ１１０にエンコードし，ＩＤカード用の発行データに含まれる印刷データを用いてカード裏面に文字や画像を印刷する。
【００２３】
序列番号１２用の発行データには，未発行カード１ａのカード表面に印刷する序列番号１２を配置する位置と文字サイズが定義される。
【００２４】
図３は，序列番号１２を説明する図である。未発行カード１ａのカード表面に印刷する序列番号１２は，作業者がカードの序列を目視で確認できるように印刷する番号で，序列番号１２を印刷する位置は，未発行カード１ａにおけるエンボス領域１０５内になる。画像付きカード１のエンボス領域１０５内に序列番号を印刷することで，カード発行機３が行うエンボス加工によって，序列番号１２を印字した箇所が伸びることで序列番号１２の文字が薄れ，かつ，ティッピング加工時の着色によって序列番号１２が覆われるため，画像付きカード１の外観から序列番号１２を認識しづらくなる。
【００２５】
図３（ａ）は，序列番号１２の文字サイズを説明する図である。序列番号１２を印字した箇所が伸び，かつ，ティッピング加工時の着色によって序列番号１２が覆うことで，序列番号１２が認識しづらくなることを考慮すると，序列番号１２の文字サイズは，エンボス加工で用いる字体で定義されている文字線の太さと高さに従い決定されることになる。例えば，ＪＩＳ等の規格では，識別番号（ここでは，クレジットカード番号）の文字線の太さは０.５１±０．２５ｍｍに規定され，高さは０．４０から０．４８ｍｍに規定されている。よって，エンボス加工で成形される凸状内に序列番号１２が収まるためには，序列番号１２の文字サイズの幅は，序列番号１２を目視で認識できる範囲で，文字線の太さに高さの２倍を加えた値よりも小さいサイズとなる。例えば，エンボス加工に用いる字体の文字サイズが１６ｐｔならば，序列番号１２の文字サイズを４〜５ｐｔに程度にするとよい。
【００２６】
図３（ｂ）は，序列番号１２を配置する位置を説明する図である。図２のように，画像付きカード１に複数のエンボス領域１０５が設定されている場合，エンボス加工前の序列番号１２の視認性を高めることを考慮すると，序列番号１２は，エンボス加工に用いる字体の文字サイズが最も大きいエンボス領域１０５（ここでは，エンボス領域１０５ａ）に配置するとよい。また，カードプリンタ２はカード全面に印刷が可能で，序列番号１２の各桁の数字を独立して配置可能なため，エンボス領域１０５にエンボスする文字列において品目内で固定の固定文字列がエンボス加工される位置に序列番号１２を配置すると，序列番号１２を配置する位置を設計し易くなる。
【００２７】
このようなことを考慮し，本実施形態では，図３（ｂ）に図示しているように，序列番号１２を４桁とし，序列番号１２を配置する位置をクレジットカード番号１０６の先頭４桁の箇所（図３（ｂ）の斜線部）に設定している。クレジットカード番号１０６をエンボスする際の文字のサイズは，氏名１０７ａやクレジットカードの有効期限１０７ｂよりも大きく，また，クレジットカード番号１０６はクレジットカード会社で固定だからである。
【００２８】
図３（ｃ）は，序列番号１２の各桁を配置する位置を説明する図である。数字によって字形が異なるため，図３（ｂ）では，クレジットカード番号１０６の先頭４桁の数字（ここでは，「０１２３」）の字形に合わせて，序列番号１２の各桁を配置する位置を決定している。序列番号１２の先頭の桁は，クレジットカード番号１０６の先頭の数字である「０」の右縦線上に配置し，序列番号１２の２番目の桁を，クレジットカード番号１０６の２番目の数字である「１」の中央縦線の上に配置している。更に，序列番号１２の３番目の桁を，クレジットカード番号１０６の先頭の数字である「２」の左縦線上に配置し，序列番号１２の４番目の桁を，クレジットカード番号１０６の４番目の数字である「３」の右下縦線上に配置している。
【００２９】
図４は，カードプリンタ２で発行したカード１ｂを説明する図である。図４において，カードプリンタ２で発行したカード１ｂには，クレジットカード番号１０６の先頭４桁をエンボス加工する位置に，図３（ｃ）で図示した内容に基づき序列番号１２が印刷されている。
【００３０】
図１の説明に戻る。カードプリンタ２で発行したカード１ｂはカード発行機３に投入され，カード発行機３は，クレジットカード用の発行データを用いて，カードプリンタ２で発行したカードを発行することで，画像付きカード１を製造する。なお，カード発行機３が，カードプリンタ２で発行したカード１ｂを発行する際に，画像印刷工程（Ｓ１）で画像を印刷したカード１ｂにおけるエンボス領域１０５内に画像付きカード１毎にユニークな文字列をエンボス加工した後，エンボスした文字列をティッピング加工するエンボス工程（Ｓ２）が実施される。
【００３１】
カード発行機３には，カード発行機３で発行するカード毎にクレジットカード用の発行データが記憶される。このクレジットカード用の発行データには，カード表面に隠蔽された国内クレジット用の磁気ストライプ１００にエンコードする国内用磁気データ，カード裏面に設けられた国際クレジット用の磁気ストライプ１０１にエンコードする国際用磁気データ，ＩＣチップ１０２に書き込むＩＣデータに加え，カード裏面のサインパネル１０４にインデントプリントするインデント１０８，エンボス領域１０５ａにエンボス加工するクレジットカード番号１０６，エンボス領域１０５ｂにエンボス加工する氏名１０７ａおよびクレジットカードの有効期限１０７ｂが含まれる。
【００３２】
カード発行機３は，カードプリンタ２で発行したカードを発行する際，クレジットカード用の発行データに含まれる国内用磁気データを国内クレジット用の磁気ストライプ１００にエンコードし，国際用磁気データを国際クレジット用の磁気ストライプ１０１にエンコードし，ＩＣデータをＩＣチップ１２に書き込む。更に，カード発行機３は，クレジットカード用の発行データに含まれるインデント１０８をサインパネル１０４にインデントプリントし，クレジットカード番号１０６，氏名１０７ａおよびクレジットカードの有効期限１０７ｂをカード表面にエンボス加工した後，エンボスした文字を銀色などでティッピング加工する。
【００３３】
図５は，エンボス工程（Ｓ２）後の画像付きカード１を説明する図である。上述した画像印刷工程（Ｓ１）にて製品としては不必要な序列番号１２をカード表面に印字し，図４で図示したように，カードプリンタ２が発行したカード１ｂでは，序列番号１２を目視で確認できるが，エンボス工程（Ｓ１）後で，この序列番号１２が印字された箇所にクレジットカード番号１０６の先頭４桁がエンボス加工され，かつ，ティッピング加工がなされることで，画像付きカード１の状態では，序列番号１２は目視で確認することが困難な状態になる。
【符号の説明】
【００３４】
１    画像付きカード
１ａ  未発行カード
１ｂ  カードプリンタで発行したカード
１０５，１０５ａ，１０５ｂ  エンボス領域
１０６  クレジットカード番号
１２  序列番号
２    カードプリンタ
３    カード発行機
【図１】
2014205322.tif 000003
【図２】
2014205322.tif 000004
【図３】
2014205322.tif 000005
【図４】
2014205322.tif 000006
【図５】
2014205322.tif 000007